(57)【要約】【課題】大きさの違う領収証が同じ台紙に収納出来、月毎の領収証が同じ台紙にまとめられ、支払い済みかどうかが一目瞭然に分かるようにする、シート整理具を提供する。【解決手段】台紙と、任意のカード状差し込み物の下一角を差し込むように台紙に設けられた下切り込みと、該下切り込みの上部に少なくとも対角部を差し込むための複数の上部切り込みとよりなる。【選択図】　　　　　　図１
2004082680.tif 000002
【特許請求の範囲】
【請求項１】
台紙と、任意のカード状差し込み物の下一角を差し込むように台紙に設けられた下切り込みと、該下切り込みの上部に少なくとも対角部を差し込むための複数の上部切り込みとよりなる、シート整理具。
【請求項２】
台紙と、該台紙に切り込みにより形成された任意のカードを挟み込む可動片と、該可動片の開放端側に設けられたストッパーとよりなる、シート整理具。
【請求項　３】台紙と、該台紙に形状の異なる複数の特定シート幅に合わせて各々の上部を差し込むための上部切り込み、下部を差し込む下部切り込みを上下一対となるように設けられたシート保持機構と、各シート保持機構の近傍に該当する特定シートを示すシート種表示部とよりなる、シート整理具。
【発明の詳細な説明】
【０００１】
【発明の属する技術分野】
台紙に設けられた切り込みにより、任意の、公共料金領収証、証券、保証書、名刺、葉書類等のシート状物を整理する、シート整理具に関するものである。
【０００２】
【従来の技術】
公共料金領収証、証券、保証書を整理する物は特にはない。名刺整理具や葉書にはポケット式の物がある。
【０００３】
【発明が解決しようとする課題】
公共料金領収証には、水道、下水道、電気、ガス、電話等があり、さらにテレコム、生命保険、新聞、町内会、ＰＴＡ、趣味の会等々の個人的に月々支払うべき対象の領収証がある。そしてそれらが月々ばらばらに送られてきて、その都度引き出し等に置くか封筒に貯めていた。税金申請や二重払いのトラブル防止で、月順に並べて整理するために、ホチキスで留めたり挟み具で挟んだり紙面に貼付する等するが、大きさがまちまちなのでやりにくく、送られてくる度にはまとめにくい。また硬、柔の材質の違いもあり、束ねにくかったり差し込みにくかったりする。時が経てば他と混じり紛失しがちでありいざという時に探しにくく、二重三重の手間になっているのが通常である。知りたい物が届いているかどうか支払ったかどうかは、口座振り込みにし通帳を見ない限り一目瞭然に確認出来るものはなく、しかも単身赴任、学生、転居の多い場合等、その他好みも含め口座振り込みをするとは限らないものでもある。また口座振り込みをするまでもない定期的に支払うべき対象の物もある。その他税金として所得税、健康保険税、住民税、車税、国民年金等があり、これらも別々の日に請求され別々に支払い、集まった領収証はそれぞれ大きさが違い、整理がめんどうである。保険証書は大切に長期間保管しなければならず、神経を使っても整理しにくい。いつ届くかわからない電気製品等の保証書はどこかにつまれて置かれ、いざという時探しにくい場合が多い。
ポケット式の名刺整理具は、入れにくく出しにくい。またこのポケット大を越える物が作れない。書簡類は同人物からの葉書や手紙を同じ台紙には整理出来ない。
【０００４】
【課題を解決するための手段】
台紙と、任意のカード状差し込み物の下一角を差し込むように台紙に設けられた下切り込みと、該下切り込みの上部に少なくとも対角部を差し込むための複数の上部切り込みとよりなる。
【０００５】
【発明の実施の形態】
以下、本発明の実施の形態を説明する。全体的に台紙はある程度げられる素材とする。
先ず、図１〜図８の角差し式から説明する。図１、２、３の場合、台紙部（１）に、対象シートの下一角を差し込む基となる基切り込み（４）を設け、該切り込みの対角部に対座切り込み（２）と対座切り込みより長い補助切り込み（３）を、対象シート（５）の一角を基切り込みに差し込んだ時、対角部を差し込むのに差し込み易い位置と向きで設ける。ここでは基切り込みと平行に設けた。補助切り込みは対象シートの幅によっては対辺の位置に渡る形になる場合もあることを付け加える。切り込み個所は分かりづらいのでその個所を染めておく方がよりよい。これは以下の全ての型の場合に通じる。図４は基切り込みの近くにも補助切り込み設ける場合である。図５は基切り込みあるいは対座切り込みの対称の位置辺りに対称切り込み（６）を設ける。図６は対象切り込みに対し補助切り込みを設けた。図７、８は基切り込みを台紙部の２対辺に添う二個所に複数設け、台紙部の一対角線上に対座切り込みを設け、その両側に補助切り込みを設ける。この場合、対座切り込み、補助切り込み共に、その中程に切り込まない個所を設ける方がよい。
以上の角差し式の使い方の説明に移るが、先ず、角の差し込み順については好みで選べばよく、これはどの場合にも共通することを記しておく。又領収証の場合を中心にして説明を進めること、そして以降も同様であることを付け加える。図２は対象シートの右下角を基切り込みに差し込み、左上角を対座切り込みより差し込む。図３は、対象シートの右下角を基切り込みに差し込み、その左上角を、対座切り込みに届かない大きさの対象シートの場合に補助切り込みに差し込む。図４は対象シートの左上角を対座切り込みに、次に基切り込み側の補助切り込みから対象シートの右下角を差し込みそのままにするか、基切り込みから差し戻す。図５はもともと細くてあるいは折り畳んで細くなった対象シートを、基切り込みを使用すると対座切り込みかその補助切り込みまで届かない場合に使用する。図６は対座、対称切り込みとそれぞれの補助切り込みを利用して、基、対座の切り込み間におさまらない対象シートを差し込み、対座、対象の補助切り込み間におさまる対象シートを当個所に収める。図８の場合は基切り込み、対座切り込み、補助切り込みを利用し、薄い対象シートなら細く半折りにしたり、大小の対象シートの二枚を重ねる等の方法で、全ての同月の公共料金領収証を１枚の台紙にまとめ収納する。
【０００６】
次に図９の差し戻し式の構造について説明する。台紙部の端辺に対し平行か斜めに対の切り込みをワンセットとしこれを数組設ける。ここでは収納後、台紙を中心線（９）で折り畳む形式のものとする。対象シートについて葉書の厚みと大きさを持つものを最大と考え、薄いものは半分に折って差し込む等、これらの使い方によって切り込みの幅や長さを決める。切り込みの近くを名称書き込み個所（８）とし、更に台紙部の何処かを年月名記載個所（７）として、それぞれに必要な言葉の、領収証か種別を示す領収証名を印字する。保証書や証券が対象の場合も同様である。
以上の差し戻し式の使い方については、対象シートを上方側の切り込みより差し込み、それより下側の切り込みより差し戻す。向きが斜めの切り込みの場合で右下がりの場合は右利きに適し、左効き用としてはそれを裏返して使用する。折り畳む場合は、領収証の突出している両端を向かい合った面で押さえ合うように折り畳む。この図は山折りになる側を示し、領収証の腹部が表れている。左頁は公共料金、右頁は個人の物等と区分けしてもよい。使用者が名称を記入する場合、収納場所がそれぞれ決定したら、側の書き込み個所に、領収証の種類名を書き込む。
図１０の載せ式について説明する。台紙をドア状に切り込み、このドア（１０）の端線部（１１）を越える長さのノブ（１２）を設けた場合である。ドア形状はアーチ状やその他の形状でもよい。ノブは別の材料を、貼る又は縫合等の方法で設ける。弾力がある台紙ならばノブがなくても構わない。
以上の載せ式の使い方は、ａの無使用状態から、ｂでドアを開けて生じたドアの跡部の隙間に対象シートを載せ、ｃでノブを台紙の後ろ側に差し込んで固定する。ノブがない場合はドアを手放しそのままにする。
【０００７】
以上のそれぞれの型で収納した台紙を、バインダー式で枚数を選択して綴じられるようにしておく。公共料金領収証の場合は１ヶ月分毎にまとめるなら１２枚、それに税金関係分１枚を加えるなら１３枚を１年分として用意する。端をホチキスで留めたり、中央を綴じ冊子状にしたりあるいはばらばらにファイル内にまとめたりする。使い捨ての場合は燃やしても害のない紙で作成する方がよりよい。証券類の整理用としては長年の保管に耐えられるような台紙を使用したり、カバーで覆ったりする。
納税等で必要な期間をこのままで保存し、不要になれば収納したままで廃棄する。あるいは領収証のみを剥がして捨て、当発明は再利用する。証券、保証証については、必要期間バインダー式で綴じるか、ファイル内に収納しておく。名刺を対象とする場合はバインダー式で数枚を綴じる。
尚、以下を付加しておく。切り込みの長さが足りないことがあれば、使う側が切り伸ばすこともでき、長すぎる場合はテープで留め合わせることも可能である。台紙の材質は滑りにくいものがよく、不透明で色は白以外が好ましい。どのシートがどの型に最適かは、使用材料や使用目的によって決定される。切り込みの端部は線で終えず極小円状に切り抜く方がよい。万が一に備え落下防止に台紙の下辺部を折り曲げてもよい。ドア内や切り込み間にアーチ状等の小ドアを設けることも出来、この場合、対象シートをずれないように完全に固定するストッパー、補助挟みとして利用する。台紙を折り畳む場合、先に側線部を接合して袋状にしていても、台紙は湾曲が可能なので使用出来る。
【発明の効果】
【０００８】
イ　公共料金の月々の支払い状況が一目瞭然となる。
ロ　大きさの違う公共料金領収証が同じ台紙に簡単に収納出来る。
ハ　月毎の公共料金領収証が同じ台紙に簡単にまとめられる。
ニ　各種証券類、各種保証書が簡単に陳列整理出来る。
ホ　シート状のものが、整理し易く紛失しない。
【図面の簡単な説明】
【図１】基、対座、補助の３本の切り込み（４、２、３）を有する、台紙部（１）の平面図である。
【図２】基、対座の２本の切り込みを使用した、台紙一部の平面図である。
【図３】基、補助の２本の切り込みを使用した、台紙部一部の平面図である。
【図４】補助切り込みを２本設けた、台紙一部の平面図である。
【図５】対座、補助、対称（６）の３本の切り込みを使用した、台紙一部の平面図である。
【図６】対象切り込みの側にも補助切り込みを設けた台紙を使用した、台紙一部の平面図である。
【図７】多種の切り込みを有する混合型の台紙の、平面図である。
【図８】混合型の台紙を使用した、平面図である。
【図９】差し戻し式を使用した、平面図である。
【図１０】載せ式の使い方を示した図である。
【符号の説明】
１　台紙部　　　　　　２　対座切り込み　　　　３　補助切り込み
４　基切り込み　　　　５　対象シート　　　　　６　対称切り込み
７　年月名記載欄　　　８　名称書き込み欄　　　９　中心線
１０　ドア　　　　　　１１　端線部　　　　　　１２　ノブ
【図１】
2004082680.tif 000003
【図２】
2004082680.tif 000004
【図３】
2004082680.tif 000005
【図４】
2004082680.tif 000006
【図５】
2004082680.tif 000007
【図６】
2004082680.tif 000008
【図７】
2004082680.tif 000009
【図８】
2004082680.tif 000010
【図９】
2004082680.tif 000011
【図１０】
2004082680.tif 000012